(57)【特許請求の範囲】
【請求項１】
携帯電話機を用いたハンズフリー通信を行うためのハンズフリー通信プロトコルに対応している携帯電話機との間で当該ハンズフリー通信プロトコルを接続可能なハンズフリー通信プロトコル接続手段と、
携帯電話機から車載ハンズフリー装置へのデータ転送を行うためのデータ転送プロトコルに対応している携帯電話機との間で当該のデータ転送プロトコルを接続可能なデータ転送プロトコル接続手段と、
複数の携帯電話機のうち一の携帯電話機との間でハンズフリー通信プロトコルを前記ハンズフリー通信プロトコル接続手段により接続中にあるときに複数の携帯電話機のうち他の携帯電話機との間でのデータ転送プロトコルの接続要求が発生した場合には、前記一の携帯電話機との間で接続中にあるハンズフリー通信プロトコルを一旦切断させた後に、前記他の携帯電話機との間でのデータ転送プロトコルを前記データ転送プロトコル接続手段により接続させる制御手段とを備えたことを特徴とする車載ハンズフリー装置。
【請求項２】
請求項１に記載した車載ハンズフリー装置において、
前記制御手段は、前記他の携帯電話機との間でのデータ転送プロトコルを前記データ転送プロトコル接続手段により接続させた後に、前記一の携帯電話機との間でハンズフリー通信プロトコルを前記ハンズフリー通信プロトコル接続手段により再接続させることを特徴とする車載ハンズフリー装置。
【請求項３】
請求項２に記載した車載ハンズフリー装置において、
前記制御手段は、前記他の携帯電話機との間でデータ転送プロトコルを前記データ転送プロトコル接続手段により接続させたことに追従し、前記他の携帯電話機との間でハンズフリー通信プロトコルをもハンズフリー通信プロトコル接続手段により接続させた場合には、前記他の携帯電話機との間で接続させているハンズフリー通信プロトコルを切断させた後に、前記一の携帯電話機との間でハンズフリー通信プロトコルを前記ハンズフリー通信プロトコル接続手段により再接続させる制御手段とを備えたことを特徴とする車載ハンズフリー装置。
【発明の詳細な説明】
【技術分野】
【０００１】
本発明は、携帯電話機を用いたハンズフリー通信を行うためのハンズフリー通信プロトコルに対応している複数の携帯電話機との間でハンズフリー通信プロトコルを同時に接続可能に構成されてなる車載ハンズフリー装置に関する。
【背景技術】
【０００２】
携帯電話機に登録されているデータを当該携帯電話機から車載ハンズフリー装置にＢｌｕｅｔｏｏｔｈ（登録商標）（以下、ＢＴと称する）通信回線を接続して転送する構成がある（例えば特許文献１参照）。
【特許文献１】特開２００２−１９３０４６号公報
【発明の開示】
【発明が解決しようとする課題】
【０００３】
ＢＴの通信規格で標準化されているプロファイルとしては、携帯電話機を用いたハンズフリー通信を行うためのハンズフリープロファイル（以下、ＨＦＰ（Hands Free Profile）と称する）や音楽データの転送を行うためのオージィオビジュアルプロファイル（以下、ＡＶＰ（Audio Visual Profile）と称する）などがある。ところで、近年では、複数の携帯電話機の各々との間でプロファイルを同時接続する（いわゆるマルチプロファイル接続する）機能を有する車載ハンズフリー装置が要望されている。
【０００４】
このような複数の携帯電話機の各々との間でＨＦＰを同時接続することが可能な車載ハンズフリー装置が実現された場合、複数の携帯電話機のうち一の携帯電話機との間でＨＦＰを接続中にあるときに他の携帯電話機との間でＡＶＰの接続要求が発生すると、他の携帯電話機との間でＡＶＰを接続させることになるが、その場合、携帯電話機の仕様によってはＡＶＰの接続要求を発生すると同時にＨＦＰの接続要求をも発生する機種があり、一の携帯電話機と他の携帯電話機との双方の間でＨＦＰを接続させることになる。そうなると、一の携帯電話機と他の携帯電話機とが同時着信する虞があり、仮に一の携帯電話機と他の携帯電話機とが同時着信してしまうと、それら同時着信に対する通話制御を行うことができない。
【０００５】
このような問題に対して、複数の携帯電話機のうち一の携帯電話機との間でＨＦＰを接続中にあり、他の携帯電話機との間でＡＶＰの接続要求が発生したときに、ＡＶＰの接続要求を許可する一方で、ＨＦＰの接続要求が発生したとしても、そのＨＦＰの接続要求を拒否することが考えられるが、ＨＦＰの接続要求を拒否すると、他の携帯電話機との間で接続させているＡＶＰを切断させることができない仕様の機種も存在するので、他の携帯電話機からのＨＦＰの接続要求を拒否することはできない。
【０００６】
本発明は、上記した事情に鑑みてなされたものであり、その目的は、複数の携帯電話機のうち一の携帯電話機との間でハンズフリー通信プロトコルを接続中にあるときに他の携帯電話機との間でデータ転送プロトコルの接続要求が発生した場合に、通話制御に支障を来たすことなく、他の携帯電話機からデータを適切に転送させることができ、使い勝手を高めることができる車載ハンズフリー装置を提供することにある。
【課題を解決するための手段】
【０００７】
請求項１に記載した発明によれば、制御手段は、複数の携帯電話機のうち一の携帯電話機との間でハンズフリー通信プロトコルをハンズフリー通信プロトコル接続手段により接続中にあるときに複数の携帯電話機のうち他の携帯電話機との間でのデータ転送プロトコルの接続要求が発生すると、一の携帯電話機との間で接続中にあるハンズフリー通信プロトコルを一旦切断させた後に、他の携帯電話機との間でのデータ転送プロトコルをデータ転送プロトコル接続手段により接続させる。これにより、一の携帯電話機と他の携帯電話機との双方の間でＨＦＰを同時接続させてしまう状況を未然に回避することができ、通話制御に支障を来たすことなく、他の携帯電話機からデータを適切に転送させることができ、使い勝手を高めることができる。
【０００８】
請求項２に記載した発明によれば、制御手段は、他の携帯電話機との間でのデータ転送プロトコルをデータ転送プロトコル接続手段により接続させた後に、一の携帯電話機との間でハンズフリー通信プロトコルをハンズフリー通信プロトコル接続手段により再接続させる。これにより、他の携帯電話機との間でデータ転送プロトコルを接続させながら、一の携帯電話機との間では他の携帯電話機からのデータ転送プロトコルの接続要求が発生する前の状態に復帰させることができる。
【０００９】
請求項３に記載した発明によれば、制御手段は、他の携帯電話機との間でデータ転送プロトコルをデータ転送プロトコル接続手段により接続させたことに追従し、他の携帯電話機との間でハンズフリー通信プロトコルをもハンズフリー通信プロトコル接続手段により接続させた場合には、他の携帯電話機との間で接続させているハンズフリー通信プロトコルを切断させた後に、一の携帯電話機との間でハンズフリー通信プロトコルをハンズフリー通信プロトコル接続手段により再接続させる。これにより、他の携帯電話機との間で接続させているハンズフリー通信プロトコルを切断させることにより、この場合も、他の携帯電話機との間でデータ転送プロトコルを接続させながら、一の携帯電話機との間では他の携帯電話機からのデータ転送プロトコルの接続要求が発生する前の状態に復帰させることができる。
【発明を実施するための最良の形態】
【００１０】
以下、本発明の一実施形態について、図面を参照して説明する。車載ハンズフリー装置１は、車両に搭載され、制御部２（本発明でいう制御手段）と、Ｂｌｕｅｔｏｏｔｈ（登録商標）（以下、ＢＴと称する）インタフェース部３（本発明でいうハンズフリー通信プロトコル接続手段、データ転送プロトコル接続手段）と、通話音声処理部４と、記憶部５と、表示制御部６と、タッチ操作入力部７とを備えて構成されている。
【００１１】
制御部２は、ＣＰＵ、ＲＡＭ、ＲＯＭ及びＩ／Ｏバスなどを有し、車載ハンズフリー装置１の通信動作やデータ管理動作などの動作全般を制御する。ＢＴインタフェース部３は、ＢＴの通信規格で標準化されているハンズフリー通信を行うためのハンズフリープロファイル（以下、ＨＦＰ（Hands Free Profile）と称する）、ＢＴの通信規格で標準化されている音楽データの転送を行うためのオージィオビジュアルプロファイル（以下、ＡＶＰ（Audio Visual Profile）と称する）、ＢＴの通信規格で標準化されている電話帳データの転送を行うためのフォンブックアクセスプロファイル（以下、ＰＢＡＰ（Phone Book Access Profile）と称する）及びオブジェクトプッシュプロファイル（以下、ＯＰＰ（Object Push Profile）と称する）などに対応している（機能を有している）。上記したＨＦＰは本発明でいうハンズフリー通信プロトコルであり、ＡＶＰは本発明でいうデータ転送プロトコルである。尚、これらプロファイルは、機能毎に定義された通信プロトコルを意味している。
【００１２】
通話音声処理部４は、車室内にあって例えばハンドルの近傍などのユーザが発した音声を集音し易い部位に配置されているマイクロホン８を接続していると共に、車載ハンズフリー装置１の外部に配置されているオーディオアンプ９を接続している。通話音声処理部４は、車室内に持込まれたＢＴの通信機能を有する（ＢＴ対応の）携帯電話機２１や携帯電話機２２を用いたハンズフリー通信を行う場合に、ユーザが発した音声をマイクロホン８から送話音声として入力すると、その入力した送話音声を音声処理してＢＴインタフェース部３に出力し、ＢＴインタフェース部３から受話音声を入力すると、その入力した受話音声をオーディオアンプ９に出力する。オーディオアンプ９は、通話音声処理部４から受話音声を入力すると、その入力した受話音声を増幅してスピーカ１０及びスピーカ１１から出力させる。
【００１３】
スピーカ１０及びスピーカ１１は左右対称に配置されており、スピーカ１０は例えば運転席ドアに配置され、スピーカ１１は例えば助手席ドアに配置されている。尚、オーディオアンプ９は、チューナーデッキ１２をも接続しており、チューナーデッキ１２が例えば音楽用記録媒体から再生した楽曲音やラジオ放送局から受信したラジオ番組を当該チューナーデッキ１２から入力すると、それら入力した楽曲音やラジオ番組を増幅してスピーカ１０及びスピーカ１１から出力させる。
【００１４】
記憶部５は、各種データを記憶可能に構成されており、車載ハンズフリー装置１との間でＡＶＰを接続中にある携帯電話機２１や携帯電話機２２から転送された音楽データを記憶可能に構成されている。尚、記憶部５は、音楽データの他に、電話番号と登録名との対応を表す電話帳データ、車載ハンズフリー装置１からの発信或いは当該車載ハンズフリー装置１との間でＨＦＰを接続中にある携帯電話機２１や携帯電話機２２からの発信に係る発信時刻と発信電話番号との対応を表す発信履歴データ、車載ハンズフリー装置１との間でＨＦＰを接続中にある携帯電話機２１や携帯電話機２２における応答した着信に係る着信時刻と着信電話番号との対応を表す着信履歴データ、車載ハンズフリー装置１との間でＨＦＰを接続中にある携帯電話機２１や携帯電話機２２における応答しなかった着信に係る着信時刻と着信電話番号との対応を表す不在着信履歴データなどをも記憶可能に構成されている。
【００１５】
ディスプレイ装置１３は、表示画面を表示する表示装置１４と、表示画面上にタッチスイッチを形成するタッチ操作入力装置１５とを備えて構成されている。表示制御部６は、制御部２から表示指令信号を入力すると、その入力した表示指令信号に基づいてディスプレイ装置１３における表示装置１４の表示動作を制御する。タッチ操作入力部７は、ユーザが表示画面上に形成されているタッチスイッチを操作したことに応じてタッチ操作入力装置１５から操作検知信号を入力すると、その操作検知信号を制御部２に出力し、制御部２は、タッチ操作入力部７から操作検知信号を入力すると、その操作検知信号に解析して処理を行う。
【００１６】
ＢＴ通信機能を有する携帯電話機２１及び携帯電話機２２は、ＢＴの通信規格で標準化されているハンズフリー通信を行うためのＨＦＰ、ＢＴの通信規格で標準化されているＡＶＰに対応している。
【００１７】
次に、上記した構成の作用について、図２を参照して説明する。尚、携帯電話機２１及び携帯電話機２２と車載ハンズフリー装置１との間でＨＦＰを同時接続する（マルチプロファイル接続する）ことが可能であることを前提として説明する。ここでは、携帯電話機２１と車載ハンズフリー装置１との間でＨＦＰを接続中にあるときにユーザが携帯電話機２２を操作したことにより携帯電話機２２と車載ハンズフリー装置１との間でＡＶＰの接続要求が発生した場合について説明する。
【００１８】
車載ハンズフリー装置１において、制御部２は、図２に示すように、携帯電話機２１が車載ハンズフリー装置１のＢＴ通信圏内に存在しており、携帯電話機２１との間でＨＦＰの接続要求が発生した旨を判定すると（ステップＳ１にて「ＹＥＳ」）、携帯電話機２１との間でＨＦＰをＢＴインタフェース部３により接続させ（ステップＳ２）、携帯電話機２２との間でＡＶＰの接続要求が発生したか否かを判定する（ステップＳ３）。
【００１９】
ここで、制御部２は、ユーザが携帯電話機２２を操作したことにより携帯電話機２２と車載ハンズフリー装置１との間でＡＶＰの接続要求が発生した旨を判定すると（ステップＳ３にて「ＹＥＳ」）、携帯電話機２１との間で接続させているＨＦＰを一旦切断させる（ステップＳ４）。そして、制御部２は、携帯電話機２２との間でＡＶＰとＨＦＰとを接続させたか或いは携帯電話機２２との間でＡＶＰだけを接続させたかを判定する（ステップＳ５，Ｓ６）。
【００２０】
ここで、制御部２は、ＡＶＰの接続要求を発生した携帯電話機２２がＡＶＰの接続要求
を発生することに追従してＨＦＰの接続要求をも発生する機種であり、携帯電話機２２との間でＡＶＰとＨＦＰとを接続させた旨を判定すると（ステップＳ５にて「ＹＥＳ」）、携帯電話機２１との間で接続させているＨＦＰを切断させ（ステップＳ７）、携帯電話機２１との間で切断させたＨＦＰを再接続させる（ステップＳ８）。一方、制御部２は、ＡＶＰの接続要求を発生した携帯電話機２２がＡＶＰの接続要求だけを発生する機種（追従してＨＦＰの接続要求を発生しない機種）であり、携帯電話機２２との間でＡＶＰだけを接続させた旨を判定すると（ステップＳ６にて「ＹＥＳ」）、携帯電話機２１との間で切断させたＨＦＰを再接続させる（ステップＳ９）。
【００２１】
以上に説明したように本実施形態によれば、車載ハンズフリー装置１において、携帯電話機２１との間でＨＦＰを接続中にあるときに携帯電話機２２との間でのＡＶＰの接続要求が発生すると、携帯電話機２１との間で接続中にあるＨＦＰを一旦切断させた後に、携帯電話機２２との間でのＡＶＰを接続させるように構成したので、携帯電話機２１と携帯電話機２２との双方の間でＨＦＰを同時接続させてしまう状況を未然に回避することができ、通話制御に支障を来たすことなく、携帯電話機２２から音楽データを適切に転送させることができ、使い勝手を高めることができる。
【００２２】
また、携帯電話機２２との間でのＡＶＰを接続させた後に、携帯電話機２１との間でＨＦＰを再接続させるように構成したので、携帯電話機２２との間でＡＶＰを接続させながら、携帯電話機２１との間では携帯電話機２２との間でＡＶＰの接続要求が発生する前の状態に復帰させることができる。また、携帯電話機２２との間でＡＶＰを接続させたことに追従して携帯電話機２２との間でＨＦＰをも接続させた場合であっても、携帯電話機２２との間で接続させているＨＦＰを切断させることにより、携帯電話機２２との間でＡＶＰを接続させながら、携帯電話機２１との間では携帯電話機２２からのＡＶＰの接続要求が発生する前の状態に復帰させることができる。
【００２３】
本発明は、上記した実施形態にのみ限定されるものではなく、以下のように変形または拡張することができる。
車載ハンズフリー装置に代えてハンズフリー機能を有する車載ナビゲーション装置から構成されていても良い。
ＡＶＰに代えて別のプロファイルであっても良い。
【図面の簡単な説明】
【００２４】
【図１】本発明の一実施形態を示す機能ブロック図
【図２】フローチャート
【符号の説明】
【００２５】
図面中、１は車載ハンズフリー装置、２は制御部（制御手段）、３はＢｌｕｅｔｏｏｔｈインタフェース部（ハンズフリー通信プロトコル接続手段、データ転送プロトコル接続手段）である。
【図１】
0004973580.tif 000002
【図２】
0004973580.tif 000003